(57)【要約】【課題】ＯＦＤＭを用いて、複数の基地局と無線通信端末との間で通信を行う無線通信システムにおいて、基地局間が非同期の場合でも、容易にハンドオーバを実現する。【解決手段】無線通信端末は、複数の基地局から送信されたＯＦＤＭ信号を受信すると、受信された各ＯＦＤＭ信号のシンボルタイミングを検出するとともに、受信された各ＯＦＤＭ信号の受信状態を測定し、複数の基地局のなかから、受信状態の最も良い第１の基地局を選択し、複数の基地局のうちの第１の基地局以外の基地局の中から、当該第１の基地局とのシンボルタイミングのずれが予め定められた第１の時間以内の第２の基地局を選択し、選択された第１の基地局及び第２の基地局を複数の基地局へ通知する。【選択図】図１３
2006246440.tif 000002
【特許請求の範囲】
【請求項１】
複数の基地局から送信された、ＯＦＤＭ（Orthogonal Frequency Division Multiplexing）信号を受信する受信手段と、
前記受信手段で受信された各ＯＦＤＭ信号のシンボルタイミングを検出する第１の検出手段と、
前記受信手段で受信された各ＯＦＤＭ信号の受信状態を測定する測定手段と、
前記複数の基地局の中から、前記受信状態の最も良い第１の基地局を選択する第１の選択手段と、
前記複数の基地局のうちの前記第１の基地局以外の基地局の中から、当該第１の基地局とのシンボルタイミングのずれが予め定められた第１の時間以内の基地局を選択する第２の選択手段と、
前記第１の選択手段で選択された第１の基地局及び前記第２の選択手段で選択された基地局を前記複数の基地局へ通知する手段と、
を具備したことを特徴とする無線通信端末。
【請求項２】
前記第２の選択手段は、前記第１の基地局とのシンボルタイミングのずれが前記第１の時間以内であり、かつ前記第１の基地局との受信状態の差が予め定められた値以内の基地局を選択することを特徴とする請求項１記載の無線通信端末。
【請求項３】
前記受信手段で受信された各ＯＦＤＭ信号のフレームタイミングを検出する第２の検出手段をさらに具備し、
前記第２の選択手段は、前記第１の基地局とのフレームタイミングのずれが予め定められた第２の時間以内であり、かつ、前記第１の基地局とのシンボルタイミングのずれが前記第１の時間以内の基地局を選択することを特徴とする請求項１記載の無線通信端末。
【請求項４】
前記第２の選択手段は、前記第１の基地局とのシンボルタイミングのずれが前記第１の時間を超える基地局が少なくとも１つ存在するときには、当該第１の基地局以外の基地局を選択しないことを特徴とする請求項１記載の無線通信端末。
【請求項５】
前記第１の時間は、ガードインターバルの時間に基づき定められた時間であることを特徴とする請求項１記載の無線通信端末。
【請求項６】
前記第２の時間は、１シンボル期間の整数倍の時間であることを特徴とする請求項３記載の無線通信端末。
【請求項７】
各基地局から送信される前記ＯＦＤＭ信号は、１フレーム期間毎に１つの無線通信端末宛ての送信データが含まれていることを特徴とする請求項１記載の無線通信端末。
【請求項８】
各基地局から送信される前記ＯＦＤＭ信号は、当該基地局に予め割り当てられている符号が乗算された送信データを含むことを特徴とする請求項１記載の無線通信端末。
【請求項９】
各基地局から送信される前記ＯＦＤＭ信号は、送信先の無線通信端末毎に異なる符号がそれぞれ乗算された後、当該基地局に予め割り当てられている符号が乗算された複数の送信データを含むことを特徴とする請求項１記載の無線通信端末。
【請求項１０】
複数の基地局から送信された、ＯＦＤＭ（Orthogonal Frequency Division Multiplexing）信号を受信する無線通信端末とを含む無線通信システムにおけるハンドオーバ制御方法において、
前記無線通信端末が、前記複数のＯＦＤＭ信号を受信する第１のステップと、
前記第１のステップで受信された各ＯＦＤＭ信号のシンボルタイミングを検出する第２のステップと、
前記第１のステップで受信された各ＯＦＤＭ信号の受信状態を測定する第３のステップと、
前記複数の基地局の中から、前記受信状態の最も良い第１の基地局を選択する第４のステップと、
前記複数の基地局のうちの前記第１の基地局以外の基地局の中から、当該第１の基地局とのシンボルタイミングのずれが予め定められた第１の時間以内の基地局を選択する第５のステップと、
前記複数の基地局のうちの前記第４及び第５のステップで選択された基地局が、前記無線通信端末に対し、前記ＯＦＤＭ信号を送信する第６のステップと、
を有するハンドオーバ制御方法。
【請求項１１】
各基地局から送信される前記ＯＦＤＭ信号は、１フレーム期間毎に１つの無線通信端末宛ての送信データが含まれていることを特徴とする請求項１０記載のハンドオーバ制御方法。
【請求項１２】
各基地局から送信される前記ＯＦＤＭ信号は、当該基地局に予め割り当てられている符号が乗算された送信データを含むことを特徴とする請求項１１記載のハンドオーバ制御方法。
【請求項１３】
各基地局から送信される前記ＯＦＤＭ信号は、送信先の無線通信端末毎に異なる符号がそれぞれ乗算された後、当該基地局に予め割り当てられている符号が乗算された複数の送信データを含むことを特徴とする請求項１０記載のハンドオーバ制御方法。
【請求項１４】
複数の基地局から送信された、符号が乗算された送信データを含むＯＦＤＭ（Orthogonal Frequency Division Multiplexing）信号を受信する受信手段と、
前記受信手段で受信された各ＯＦＤＭ信号のシンボルタイミングを検出する第１の検出手段と、
前記受信手段で受信された各ＯＦＤＭ信号の受信状態を測定する測定手段と、
前記複数の基地局の中から、前記受信状態の最も良い第１の基地局を選択する第１の選択手段と、
前記複数の基地局のうちの前記第１の基地局以外の基地局の中から、当該第１の基地局とのシンボルタイミングのずれが予め定められた第１の時間以内の基地局を選択する第２の選択手段と、
前記第１の選択手段で選択された第１の基地局及び前記第２の選択手段で選択された基地局を前記複数の基地局へ通知する手段と、
を具備したことを特徴とする無線通信端末。
【請求項１５】
複数の基地局から送信された、符号が乗算された送信データを含むＯＦＤＭ（Orthogonal Frequency Division Multiplexing）信号を受信する無線通信端末とを含む無線通信システムにおけるハンドオーバ制御方法において、
前記無線通信端末が、前記複数のＯＦＤＭ信号を受信する第１のステップと、
前記第１のステップで受信された各ＯＦＤＭ信号のシンボルタイミングを検出する第２のステップと、
前記第１のステップで受信された各ＯＦＤＭ信号の受信状態を測定する第３のステップと、
前記複数の基地局の中から、前記受信状態の最も良い第１の基地局を選択する第４のステップと、
前記複数の基地局のうちの前記第１の基地局以外の基地局の中から、当該第１の基地局とのシンボルタイミングのずれが予め定められた第１の時間以内の基地局を選択する第５のステップと、
前記複数の基地局のうちの前記第４及び第５のステップで選択された基地局が、前記無線通信端末に対し、前記ＯＦＤＭ信号を送信する第６のステップと、
を有するハンドオーバ制御方法。
【発明の詳細な説明】
【技術分野】
【０００１】
本発明は、無線通信端末及びハンドオーバ制御方法に関し、特に、直交周波数分割多重方式（ＯＦＤＭ：Orthogonal Frequency Division Multiplexing）が用いられる場合のハンドオーバ制御方法に関する。
【背景技術】
【０００２】
通信方式として直交周波数分割多重方式が用いられる場合、無線通信端末が複数の基地局から送信される無線信号を同時に、または選択して受信するハンドオーバを行うことが可能である。なお、同時に受信する方法はソフトハンドオーバ、選択して受信する方法はサイトセレクションダイバーシチなどと称される。
【０００３】
一般に、直交周波数分割多重方式を用いる場合、マルチパスに起因するシンボル間干渉の影響を低減させる目的により、送信シンボルに対してその一部をガードインターバルとして付加させている。この特性により、無線通信端末は複数の基地局から送信されたそれぞれの無線信号の受信タイミングが、ガードインターバル区間内に収まる場合には、容易にそれぞれの無線信号を同時に受信することが可能である。しかしながら、ガードインターバル区間内を越える場合には、それぞれが互いの干渉となることにより、特にソフトハンドオーバを行うことが困難とされてきた。
【０００４】
このような背景により、直交周波数分割多重方式が用いられる場合のソフトハンドオーバ制御方法として、基地局間を同期させる従来技術がある。これは、各基地局が互いに連携することや、基地局制御装置がその制御下にある複数の基地局の送信時刻を調整することや、全地球測位システム（ＧＰＳ）を利用することにより実現される技術である。これにより、無線通信端末における複数の基地局から送信されたそれぞれの無線信号の受信タイミングが、ガードインターバル区間内に収まることとなり、結果としてソフトハンドオーバが可能になるとされている(例えば特許文献１参照)。
【特許文献１】特開平１１−１７８０３６  ７頁
【発明の開示】
【発明が解決しようとする課題】
【０００５】
しかしながら、上述した従来技術は、基地局間を互いに連携させることなどにより同期させる方法であるが、連携に要するオーバヘッドや基地局及び無線通信端末間の無線通信路の影響などにより、無線通信端末における複数の基地局から送信されたそれぞれの無線信号の受信タイミングを、高い精度を持って制御することが困難であった。また、基地局間を非同期として無線通信システムが構築されることがあるが、この場合には上述した従来技術を適用することができないといった問題点があった。
【０００６】
よって、この発明は上記した問題を解決するためになされたものであり、直交周波数分割多重方式が用いられる場合に、基地局間を非同期とした場合においても、容易な制御によりハンドオーバを実現することが可能な無線通信端末、ハンドオーバ制御方法及び無線通信システムを提供することを目的とする。
【課題を解決するための手段】
【０００７】
本発明の無線通信端末は、複数の基地局から送信された、ＯＦＤＭ（Orthogonal Frequency Division Multiplexing）信号を受信すると、受信された各ＯＦＤＭ信号のシンボルタイミングを検出するとともに、受信された各ＯＦＤＭ信号の受信状態を測定して、複数の基地局の中から、受信状態の最も良い第１の基地局を選択し、複数の基地局のうちの第１の基地局以外の基地局の中から、当該第１の基地局とのシンボルタイミングのずれが予め定められた第１の時間以内の第２の基地局を選択して、選択された第１の基地局及び第２の基地局を複数の基地局へ通知する。
【発明の効果】
【０００８】
本発明によれば、各基地局が、ＯＦＤＭ（Orthogonal Frequency Division Multiplexing）信号を送信して、無線通信端末と通信を行う場合に、基地局間が非同期の場合でも、容易にハンドオーバを実現することが可能となる。
【発明を実施するための最良の形態】
【０００９】
以下、本発明の第１乃至第３の実施形態について、図面を参照して説明する。
【００１０】
まず、図１を参照して、第１乃至第３の実施形態に関するハンドオーバ状態について説明する。
【００１１】
図１において、複数（ここでは、例えば、２つ）の基地局（ＢＳ）１０１−１及び１０１−２はそれぞれ通信エリアとして１０４−１及び１０４−２を有している。また、基地局１０１−１及び１０１−２は、制御局１０３と接続されている。（１）の位置に存在する無線通信端末１０２ａは、基地局１０１−１の通信エリア１０４−１に存在していることにより、基地局１０１−１と通信を行っている。（２）の位置に存在する無線通信端末１０２ｂは、基地局１０１−１の通信エリア１０４−１及び基地局１０１−２の通信エリア１０４−２に存在していることにより、複数の基地局１０１−１及び１０１−２と通信を行うことが可能であり、複数の基地局１０１−１及び１０１−２と同時に通信を行っている。さらに、（３）の位置に存在する無線通信端末１０２ｃは、基地局１０１−２の通信エリア１０４−２に存在していることにより、基地局１０１−２と通信を行っている。
【００１２】
第１乃至第３の実施形態では、（２）の位置に存在する無線通信端末１０２ｂのように、複数の基地局と通信を行うことが可能である状態をハンドオーバ状態と称する。なお、ハンドオーバ状態は、無線通信端末１０２ｂが複数の基地局から送信される無線信号の受信状態を観測し、これをいずれかの基地局を介して制御局１０３に通知することで、制御局１０３の制御により容易に実現することが可能である。
【００１３】
なお、第１乃至第３の実施形態は、図１８に示すように、１つの基地局が複数の通信エリアを有する場合にも適用することが可能である。図１８において、基地局１０１−１は複数（ここでは、例えば、３つ）の通信エリア１０４−１、１０４−２及び１０４−３を有している。したがって、（３）の位置に存在する無線通信端末１０２ｃは、通信エリア１０４−１及び通信エリア１０４−３に存在していることにより、当該通信エリア間のハンドオーバ状態となる。このようなハンドオーバ状態は基地局１０１−１の制御により容易に実現することが可能である。
【００１４】
さらに、図２及び図３を参照して、ハンドオーバ状態における２つの制御方法について説明する。２つの制御方法とは、複数の基地局から同一の送信データを送信し、無線通信端末がこれを同時に受信する方法及び選択して受信する方法である。以後、同時に受信する方法をソフトハンドオーバ（ＳＨＯ）、選択して受信する方法をハードハンドオーバ（ＨＨＯ）と称する。
【００１５】
図２において、ハンドオーバ状態にある無線通信端末１０２は、無線通信端末から基地局への上り無線チャネル２０２により、複数の基地局１０１−１及び１０１−２に対して同時にデータの送信を行うこと、すなわちＳＨＯの要求を通知する。これを受けた複数の基地局１０１−１及び１０１−２は、基地局から無線通信端末への下り無線チャネル２０１により、無線通信端末１０２に対して同時にデータの送信を行う。これによりＳＨＯを実現することが可能である。
【００１６】
また、図３において、ハンドオーバ状態にある無線通信端末１０２は、上り無線チャネル２０２により、複数の基地局１０１−１及び１０１−２に対して、データの送信を要求する基地局の選択結果、すなわちＨＨＯの要求を通知する。これを受けた複数の基地局１０１−１及び１０１−２は、データの送信を要求されている場合に、下り無線チャネル２０１により、無線通信端末１０２に対してデータの送信を行う。これによりＨＨＯを実現することが可能である。なお、図３は基地局１０１−１が選択された場合を示している。
【００１７】
（第１の実施形態）
図４は、第１の実施形態に係る基地局（基地局１０１−１、１０１−２）の要部の構成例を示したものである。
【００１８】
図４において、基地局は、大きく分けて、送信部４、制御部５及び受信部８から構成される。送信部４は、アンテナ４０１、無線処理回路４０２、ＧＩ付加回路４０３、ＩＦＦＴ回路４０４、第１の符号乗算回路４０５、第１のデータ多重回路４０６、第２のデータ多重回路４０７、パイロット生成回路４０８、第２の符号乗算回路４０９、データ分配回路４１０、変調回路４１１、誤り訂正符号化回路４１２から構成される。受信部８は、アンテナ８０１、無線処理回路８０２、復調回路８０３、誤り訂正復号回路８０４から構成される。
【００１９】
図４の基地局の送信部４の各ブロックの動作について説明する。なお、Ｎは最大符号分割多重数を示している。上位Ｉ／Ｆ（上位レイヤ）から渡される最大Ｎ系列の送信データは、各系列に対応する誤り訂正符号化回路４１２へそれぞれ入力される。各系列に対応するＮ個の誤り訂正符号化回路４１２のそれぞれでは、入力された送信データを所定の符号化方式及び符号化率において誤り訂正符号化を行い、誤り訂正符号化のなされた送信データを、対応する変調回路４１１へそれぞれ出力する。各系列に対応するＮ個の変調回路４１１のそれぞれは、入力された送信データに対して、所定の変調方式により変調を行い、データ分配回路４１０へ出力する。データ分配回路４１０は、入力された各系列の送信データを符号分割多重数ｎ（１≦ｎ≦Ｎ）に応じて分配し、それぞれを第２の符号乗算回路４０９へ出力する。なお、送信データの符号分割多重数ｎは、例えば制御部５により通知される。
【００２０】
各系列に対応するＮ個の第２の符号乗算回路４０９には、ＣＤＭＡ方式で各無線通信端末宛てのデータを多重するための、それぞれが直交する所定の拡散率の異なる符号がそれぞれ割り当てられている。各第２の符号乗算回路４０９は、入力された送信データに対して当該割り当てられた符号を乗算して、当該拡散率で拡散した後、第２のデータ多重回路４０７へ出力する。第２のデータ多重回路４０７は、入力された符号拡散された送信データを多重し、第１のデータ多重回路４０６へ出力する。
【００２１】
パイロット生成回路４０８は、所定の信号パターンを有するパイロット信号を生成し、第１のデータ多重回路４０６へ出力する。第１のデータ多重回路４０６は、第２のデータ多重回路４０７から出力された送信データと、パイロット生成回路４０８から出力されたパイロット信号を多重し、第１の符号乗算回路４０５へ出力する。以後、送信データ及びパイロット信号をデータと総称する。
【００２２】
第１の符号乗算回路４０５には、当該基地局に対応する符号（擬似ランダム系列に代表されるスクランブル符号）が予め割り当てられている。第１の符号乗算回路４０５は、入力されたデータに対して当該割り当てられたスクランブル符号を乗算し、ＩＦＦＴ（Inverse Fast Fourier Transform）回路４０４へ出力する。なお、スクランブル符号は異なる基地局では異なる符号系列が用いられる。ＩＦＦＴ回路４０４は、入力されたデータに対してＩＦＦＴを行い、ＧＩ（Guard Interval）付加回路４０３へ出力する。
【００２３】
ＧＩ付加回路４０３は、入力されたデータに対して、その一部を複製してデータの前部に付加し（ガードインターバル（ＧＩ）を付加し）、無線処理回路４０２へ出力する。無線処理回路４０２は、入力されたデータに対して、Ｄ／Ａ変換、直交変調、アップコンバード、帯域制限、電力増幅等の所定の無線処理を行い無線信号（ＯＦＤＭ信号）を生成し、生成された無線信号はアンテナ４０１より送信される。
【００２４】
制御部５は、送信部４の各ブロックを制御すると共に、受信部８により受信されたデータに含まれる、ハンドオーバ状態にある無線通信端末より通知されたデータ送信要求に従い、当該無線通信端末に送信データを送信するか否かを決定する。また、送信データの宛先や当該送信データに適用される符号化方式、符号化率及び変調方式などの制御情報を制御データとして、誤り訂正符号化回路４１２に入力する。
【００２５】
なお、第１のデータ多重回路４０６において、第２のデータ多重回路４０７から入力された送信データと、パイロット生成回路４０８から入力されたパイロット信号の多重方法は任意の方法としてよい。例えば、図５に示すような時間を分けることで多重する方法を用いることができる。また、図６に示すような符号で分けることで多重する方法を用いることができる。
【００２６】
受信部８では、アンテナ８０１は受信した無線信号を無線処理回路８０２に入力する。無線処理回路８０２は、入力された無線信号に対して、帯域制限、ダウンコンバート、直交復調、Ａ／Ｄ変換等の所定の無線処理を行い、復調回路８０３へ出力する。復調回路８０３は、入力された信号を復調し、得られた受信データが誤り訂正符号化されていない場合（例えば、後述するように、ハンドオーバ制御の際に、無線通信端末から各基地局へ送信される、無線通信端末で選択された基地局を通知する情報などのデータ）は、制御部７へ出力し、誤り訂正符号化されている場合には、誤り訂正復号回路９１へ出力する。誤り訂正復号回路９１で復号した結果は、制御部７へ出力される。
【００２７】
図５及び図６は、下り無線チャネルの信号フォーマットを示している。データの送信単位はＳｙｍｂｏｌ（シンボル）と称され、複数の送信データＳｙｍｂｏｌと複数のパイロットＳｙｍｂｏｌが多重されることによりＦｒａｍｅ（フレーム）が構成される。一般的に、Ｆｒａｍｅに含まれる送信データはパイロットの数よりも多い。また、１つのＳｙｍｂｏｌ期間には、送信データまたはパイロットと、その一部を複製して付加されたＧＩ（ガードインターバル）が含まれる。ＧＩの単位時間をＴ＿ＧＩ、送信データまたはパイロットの単位時間をＴ＿Ｄａｔａとした場合、一般的にＴ＿ＧＩはＴ＿Ｄａｔａの１／４から１／１０程度である。
【００２８】
図５に示したフォーマットでは、１つのＦｒａｍｅの先頭及び終端部にパイロットが、その間に送信データが多重されている。また、最大Ｎ（Ｎは正の整数）の符号分割多重数で送信データが符号分割多重されている。この場合、送信データ及びパイロットはＦｒａｍｅ内の所定のＳｙｍｂｏｌにのみ存在する。
【００２９】
また、図６に示したフォーマットでは、１つのＦｒａｍｅにパイロットと、最大Ｎ−１の符号分割多重数で送信データが符号分割多重されている。この場合、送信データ及びパイロットはＦｒａｍｅ内の全てのＳｙｍｂｏｌに存在する。すなわち、１つのＦｒａｍｅにパイロットと送信データが最大Ｎの符号分割多重数で多重されている。
【００３０】
図７は、第１の実施形態に係る無線通信端末の構成例を示したものである。
【００３１】
図７において、無線通信端末は、受信部６、制御部７及び送信部９により構成される。受信部６はアンテナ６０１、無線処理回路６０２、同期回路６０３、ＧＩ除去回路６０４、ＦＦＴ（Fast Fourier Transform）回路６０５、第１の符号乗算部６０６、データ分配回路６０７、伝送路推定部６０８、第２の符号乗算部６０９、合成部６１０、データ結合回路６１１、復調回路６１２、誤り訂正復号回路６１３、セル検出回路６１４により構成される。
【００３２】
なお、ハンドオーバ状態においてＳＨＯを行うために、第１の符号乗算部６０６、データ分配部６０７、伝送路推定部６０８は、それぞれ、ＳＨＯにおいて同時に受信することができる最大Ｍ個の基地局のそれぞれに対応するＭ個のユニットが設けられている。例えば、第１の符号乗算部６０６の各基地局に対応するＭ個のユニットは、それぞれ１つの第１の符号乗算回路に対応する。
【００３３】
また、無線通信端末には、ＣＤＭＡ方式で多重された信号から当該無線通信端末宛てのデータを取り出すための少なくとも１つの符号が予め割り当てられている。ここでは、無線通信端末には最大Ｂ（Ｂは、１≦Ｂ≦Ｎの整数）個の符号が割り当てられているものとする。従って、図７の合成部６１０は、各符号に対応するＢ個のユニットが設けられている。例えば、合成部６１０の各符号に対応するＢ個のユニットは、それぞれ１つの合成回路に対応する。
【００３４】
第２の符号乗算部６０９は、ＳＨＯにおいて同時に受信することができる最大Ｍ個の基地局のそれぞれから送信される当該無線通信端末に割り当てられているＢ個の符号のそれぞれにより拡散されているＢ個の信号を受信するために、各符号に対応するＢ個の第２の符号乗算回路をそれぞれ備えた、Ｍ個のユニットからなる。従って、第２の符号乗算部６０９は、全部で、（Ｍ×Ｂ）個の第２の符号乗算回路を有する。
【００３５】
続いて、図７の無線通信端末の受信部６の各ブロックの動作について説明する。なお、ここでは図５に示した無線チャネルの信号フォーマットが用いられているものとする。アンテナ６０１は受信した各基地局からの各無線信号を無線処理回路６０２に入力する。無線処理回路６０２は、入力された各無線信号に対して、帯域制限、ダウンコンバート、直交復調、Ａ／Ｄ変換等の所定の無線処理を行い、同期回路６０３、ＧＩ除去回路６０４及びセル検出回路６１４へ出力する。
【００３６】
同期回路６０３は、入力された各信号に対して、図５及び図６に示した、Ｓｙｍｂｏｌ（シンボル）及びＦｒａｍｅ（フレーム）のタイミングを検出し、ＧＩ除去回路６０４及びセル検出回路６１４に通知する。ここで、Ｓｙｍｂｏｌ（シンボル）タイミングの検出とは、伝送シンボル境界位置を示す同期タイミングを検出することであり、Ｆｒａｍｅ（フレーム）タイミングの検出とは、複数の伝送シンボルにより構成されるフレームの境界位置を示す同期タイミングを検出することである。Ｓｙｍｂｏｌ（シンボル）タイミングやＦｒａｍｅ（フレーム）タイミングの検出は、適切な位置のＯＦＤＭ信号をＦＦＴ回路に入力しないとマルチキャリア復調が実現できないという理由で行う。
【００３７】
ＧＩ除去回路６０４は、入力された各信号に対して、同期回路６０３から通知されたタイミングを基に、当該基地局により付加されたＧＩを除去し、ＦＦＴ回路６０５へ出力する。ＦＦＴ回路６０５は、入力された各信号に対してＦＦＴを行い、第１の符号乗算部６０６のＭ個の第１の符号乗算回路へ出力する。
【００３８】
Ｍ個の第１の符号乗算回路のそれぞれには、当該無線通信端末が受信する複数の（最大Ｍ個）の基地局のそれぞれに対応するスクランブル符号が予め割り当てられている。Ｍ個の第１の符号乗算回路のそれぞれは、入力された信号に対して、対応する基地局が第１の符号乗算回路４０５で乗算したスクランブル符号と同一の符号系列を乗算する。その結果、当該信号が送信データであれば、データ分配部６０７のＭ個のデータ分配回路のうちの対応するデータ分配回路へ出力し、当該信号がパイロットであれば、Ｍ個の伝送路推定回路６０８のうちの対応する伝送路推定回路６０８へ出力する。
【００３９】
Ｍ個のデータ分配回路のそれぞれは、基地局が当該無線通信端末に対して送信する送信データを、当該無線通信端末に割り当てられているＢ個の符号を用いて拡散して第２のデータ多重回路４０７にて多重している場合、その多重数Ｂに応じて、入力された送信データを、第２の符号乗算部６０９のＭ個のユニットのうちの（当該基地局に）対応するユニットへ分配・出力する。
【００４０】
伝送路推定部６０８のＭ個の伝送路推定回路のそれぞれは、入力された各基地局からの各パイロットを用いて、各基地局との間の伝送路推定を行い、推定結果を対応する第２の符号乗算部６０９のＭ個のユニットのそれぞれに通知する。
【００４１】
第２の符号乗算部６０９のＭ個のユニットのそれぞれは、当該無線通信端末に割り当てられた各符号に対応するＢ個の第２の符号乗算回路を有し、Ｂ個の第２の符号乗算回路のそれぞれは、入力された送信データに対して、伝送路推定部６０８の対応する伝送路推定回路から通知された伝送路推定結果を基に、基地局の第２の符号乗算部４０９の対応する第２の符号乗算回路で乗算された符号と同一の符号系列を有する符号を乗算して逆拡散し、合成部６１０のＢ個の合成回路のうちの対応する合成回路へ出力する。
【００４２】
なお、先に述べたように、無線通信端末がＳＨＯを行う場合、最大Ｍ個の基地局からの信号を同時受信するため、第１の符号乗算部６０６、データ分配部６０７、伝送路推定部６０８、第２の符号乗算部６０９のそれぞれは、各基地局に対応するＭ個のユニットを有し、各ユニットでは、スクランブル符号により識別される、複数の基地局のそれぞれから送信されたデータに対して上述の処理を行う。
【００４３】
合成部６１０のＢ個の合成回路のそれぞれは、入力された複数の送信データ、すなわち複数（最大Ｍ個）の基地局から送信された、当該合成回路に割り当てられた符号に対応するＭ系列の送信データを合成し、データ結合回路６１１に出力する。なお、当該無線通信端末がハンドオーバ状態にない場合、またはハンドオーバ状態でＨＨＯを行っている場合は、上記合成は行われない。
【００４４】
データ結合回路６１１は、入力された送信データを結合し、復調回路６１２に出力する。なお、当該無線通信端末に対する送信データが符号多重されていない場合は、上記結合は行われない。
【００４５】
復調回路６１２は、入力された送信データを所定の変調方式に対応する復調方式により復調し、誤り訂正復号回路６１３に出力する。誤り訂正復号回路６１３は、入力された送信データを所定の符号化方式及び符号化率に基づき復号し、上位Ｉ／Ｆに出力する。
【００４６】
セル検出回路６１４は、入力された信号を用いて、基地局から送信された各信号を十分な受信性能により受信することが可能となるような受信状態を有し、同期回路６０３で検出されていない他の基地局を検出し、同期回路６０３で検出した基地局も含めて、検出した全ての基地局のＳｙｍｂｏｌ及びＦｒａｍｅのタイミング（以後受信タイミングと称する）及び受信状態を制御部７に通知する。なお、通知する受信状態としては、パイロットの受信電力や受信電力対干渉信号電力比を用いることができる。
【００４７】
また、制御部７は、受信部６の各ブロックを制御すると共に、セル検出回路６１４から通知された、全ての基地局の受信タイミング及び受信状態を基に、当該無線通信端末がハンドオーバ状態であるか否かを判定して、送信部９から所望の基地局に対して通知すると共に、ハンドオーバ状態である場合には、ＳＨＯを行うかＨＨＯを行うかを決定し、その旨をデータ送信要求として、送信部９からハンドオーバ状態の対象となる複数の基地局に対して通知する。
【００４８】
ＳＨＯを行うかＨＨＯを行うかの通知は、図８、図９に示すような上り無線チャネルフォーマットを用いることにより実現できる。図８、図９は、上り無線チャネルフォーマットの一部を示している。ここでは、上り無線チャネルにおける送信データの単位をＳｙｍｂｏｌと称しており、上記通知に８Ｓｙｍｂｏｌを適用している場合を示している。また、図８、図９に示したように、８Ｓｙｍｂｏｌを下り無線チャネルの１Ｆｒａｍｅより小さくすることで、少なくとも１Ｆｒａｍｅを単位としてＳＨＯを行うかＨＨＯを行うかの通知を行うことが可能である。なお、上記通知に適用するＳｙｍｂｏｌ数や上記通知の単位は任意に設定することが可能である。
【００４９】
図８に示す例では、図８（ａ）に示すように、８ＳｙｍｂｏｌそれぞれにＩＤが割当てられている。また、ハンドオーバ状態にある無線通信端末には、複数の基地局それぞれに割当てられているＩＤが通知されている。基地局に対するＩＤの割当てや無線通信端末に対する当該ＩＤの通知は、図１に示した制御局１０３の制御により容易に実現することが可能である。この場合、無線通信端末は、セル検出回路６１４からの通知を受けた制御部７により、ハンドオーバ状態にある全ての基地局の中から、データ送信を要求する基地局を選択し、図８（ｂ）に示すように、選択した基地局に対応するＩＤが割当てられているＳｙｍｂｏｌには「１」を、それ以外のＳｙｍｂｏｌには「０」を設定して、ハンドオーバ状態にある全ての基地局に対して通知する。これは、「１」と設定されたＳｙｍｂｏｌが複数あればＳＨＯを、１つであればＨＨＯを要求することに対応する。
【００５０】
図８（ｂ）では、ＩＤが「１」と「３」を有する基地局に対してデータの送信を要求しており、当該基地局とＳＨＯを行っている。なお、図８に示す例では最大「８」個の基地局との間でハンドオーバ状態を形成することが可能である。
【００５１】
図９に示す例では、図８同様、ハンドオーバ状態にある無線通信端末には、複数の基地局それぞれに割当てられているＩＤが通知されている。図９（ａ）は、無線通信端末に通知された各基地局のＩＤを示したテーブルを示している。このテーブルは、例えば、制御部７に記憶される。この場合、無線通信端末は、セル検出回路６１４からの通知を受けた制御部７により、ハンドオーバ状態にある全ての基地局に対してデータ送信を要求するＳＨＯを行うか、１つの基地局に対してデータ送信を要求するＨＨＯを行うかを決定する。
【００５２】
ＨＨＯを行う場合にはデータ送信を要求する基地局を選択し（例えば、図９（ｂ）では、ＩＤ「００１０」の基地局Ｂ選択している）、選択した基地局に対応するＩＤをそのままＳｙｍｂｏｌに設定して、ハンドオーバ状態にある全ての基地局に対して通知する。なお、図９（ｂ）では当該基地局のＩＤを繰り返して設定することで、信頼性を向上させている。
【００５３】
また、ＳＨＯを行う場合には、図９（ｃ）に示すように、全てのＳｙｍｂｏｌに「１」を設定して、ハンドオーバ状態にある全ての基地局に対して通知する。
【００５４】
図９（ｂ）の例では、ＩＤが「００１０」の基地局Ｂに対してデータの送信を要求しており、図９（ｃ）の例では、ハンドオーバ状態にある全ての基地局に対してデータの送信を要求している。
【００５５】
なお、無線通信端末とハンドオーバ状態にある基地局は、無線通信端末からデータ送信要求を通知された場合には、当該無線通信端末に対してデータの送信を行うが、データ送信要求が通知されない場合には、当該無線通信端末以外の無線通信端末に対してデータを送信することも、どの無線通信端末に対してもデータの送信を行わないことも可能である。前者のように制御する場合、下り無線チャネルの利用効率が向上する効果を有する。後者のように制御する場合、当該無線通信端末に対する干渉が低減される効果を有する。
【００５６】
ここでは、ハンドオーバ状態にある無線通信端末が、ＳＨＯを行うかＨＨＯを行うかの通知を、例えば下り無線チャネルの１Ｆｒａｍｅを単位として行っているが、上り無線チャネルの利用効率や基地局及び無線通信端末の制御負荷を勘案すると、当該無線通信端末がＨＨＯを行うと判断した場合についてのみ、選択した基地局を通知するようにしてもよい。
【００５７】
図１０は、無線通信端末１０２と基地局１０１（ここでは、基地局１０１−１に対応する基地局１、基地局１０１−２に対応する基地局２）との間の通信制御の概略を説明するためのシーケンスチャートである。無線通信端末１０２は、基地局１との間で通信を行っているとする（ステップＳ１０１）。このとき、無線通信端末の制御部７は、例えば定期的に、セル検出回路６１４から通知される検出された全ての基地局の受信タイミング及び受信状態を用いて、ハンドオーバ状態であるか否か、すなわち、複数の基地局と通信を行うことが可能である状態であるか否かを判定する。制御部７は、セル検出回路６１４から通知される検出された全ての基地局の受信タイミング及び受信状態から、基地局１の他に、基地局２とも通信を行うことが可能であること（ハンドオーバ状態）を検出したとする（ステップＳ１０２）。この場合、基地局１及び基地局２との通信が可能である旨を通知する情報を、誤り訂正符号化回路９１、変調回路９２、無線処理回路９３を通じて、現在通信を行っている基地局１へ送信する（ステップＳ１０３）。
【００５８】
基地局１の制御部５は、当該情報を無線処理回路８０２、復調回路８０３を通して受信すると、それを制御局１０３へ送信する（ステップＳ１０４）。制御局１０３では、当該情報を受信すると、当該無線通信端末１０２に対して、ハンドオーバ実行を決定し（ステップＳ１０５）、通知された基地局２及び基地局１に対し、当該無線通信端末１０２に対しハンドオーバを実行すること、及び、各基地局のＩＤを含むハンドオーバを行うために必要な各種パラメータを通知する（ステップＳ１０６〜ステップＳ１０７、ステップＳ１０８〜ステップＳ１０９）。
【００５９】
基地局１は、制御局１０３から上記通知を受けると、無線通信端末１０２に対し、ハンドオーバ許可通知を送信するとともに（ステップＳ１１０）、各基地局のＩＤを含むハンドオーバを行うために必要な各種パラメータを通知する（ステップＳ１１１）。以上の手続きにより、無線通信端末１０２と、基地局１及び基地局２は、ハンドオーバ状態に移行する（ステップＳ１１２）。
【００６０】
なお、図１０のステップＳ１０７、Ｓ１０９、Ｓ１１１で通知される各基地局のＩＤは、ハンドオーバ状態の無線通信端末１０２で基地局を選択した際に、選択した基地局を通知する際に用いられるＩＤである。
【００６１】
次に、図１１を参照して、ハンドオーバ状態となった無線通信端末１０２のハンドオーバ制御、すなわち、制御部７において、ＳＨＯを行うかＨＨＯを行うかを選択する処理動作について詳細に説明する。
【００６２】
制御部７は、図１０に示したようにして、ハンドオーバ制御を開始すると、セル検出回路６１４から定期的にセル検出結果を取得し（ステップＳ１）、その受信状態（受信電力や受信電力対干渉信号電力比）を用いて、ハンドオーバ状態に変更があるか否かを判定し（ステップＳ２）、変更がある場合には、その旨を基地局に通知する（ステップＳ３）。変更があるとは、通信を行うことが可能である基地局数に増減があることを意味する。また、変更がある場合には、以後もハンドオーバ状態を継続可能であるか否かを判定する（ステップＳ４）。ハンドオーバ状態を継続可能とは、少なくとも２つの基地局と通信を行うことが可能であることを意味する。
【００６３】
ハンドオーバ状態を継続不可能と判定した場合、すなわち、受信状態の数値が予め定められた閾値以上の基地局が多くとも１つである場合には（ステップＳ４）、ハンドオーバ制御を終了する旨を、現在通信を行っている各基地局へ通知する（ステップＳ８）。ハンドオーバ状態を継続可能と判定した場合には（ステップＳ４）、ステップＳ５へ進み、基地局選択処理に対して任意に決定されている所定の周期時間が経過したか否かを判定する。所定の周期時間とは、前述した下り無線チャネルの１Ｆｒａｍｅ等の値が設定される。所定の周期が経過した場合には、基地局選択処理を行う（ステップＳ６）。これは、ハンドオーバ状態にある複数の基地局について、セル検出回路６１４から取得したハンドオーバ状態にある基地局の受信タイミング及び受信状態を用いて、ＳＨＯを行うかＨＨＯを行うか、さらには、データの送信を要求する基地局を決定する処理である。基地局選択処理にて選択した結果は、図８あるいは図９に示したような所定のフォーマットを有する上り無線チャネルにより、各基地局に対して通知される（ステップＳ７）。
【００６４】
なお、前述した図１１に示した、制御部７がＳＨＯを行うかＨＨＯを行うかの選択処理の動作は、図１２のようにしてもよい。
【００６５】
制御部７は、図１０に示したようにして、ハンドオーバ制御を開始すると、所定の周期時間（Ｔ１）が経過したか否かを判定し（ステップＳ６１）、所定の周期（Ｔ１）が経過した場合には、セル検出回路６１４からセル検出結果を取得し（ステップＳ６２）、これを用いて基地局選択処理を行う（ステップＳ６３）。これは、ハンドオーバ状態にある複数の基地局について、セル検出回路６１４から取得したハンドオーバ状態にある基地局の受信タイミング及び受信状態を用いて、ＳＨＯを行うかＨＨＯを行うか、さらには、データの送信を要求する基地局を決定する処理である。基地局選択処理にて選択した結果は、図８あるいは図９に示したような所定のフォーマットを有する上り無線チャネルにより、各基地局に対して通知される（ステップＳ６４）。なお、所定の周期時間（Ｔ１）とは、前述した下り無線チャネルの１Ｆｒａｍｅ等の値が設定される。
【００６６】
続いて、所定の周期時間（Ｔ２）が経過したか否かを判定する（ステップＳ６５）。所定の周期時間（Ｔ２）が経過した場合には、セル検出結果の受信状態（受信電力や受信電力対干渉信号電力比）を用いて、ハンドオーバ状態に変更があるか否かを判定し（ステップＳ６６）。変更がある場合には、その旨を基地局に通知する（ステップＳ６７）。変更があるとは、通信を行うことが可能である基地局数に増減があることを意味する。また、変更がある場合には、以後もハンドオーバ状態を継続可能であるか否かを判定する（ステップＳ６８）。ハンドオーバ状態を継続可能とは、少なくとも２つの基地局と通信を行うことが可能であることを意味する。ハンドオーバ状態を継続不可能と判定した場合、すなわち、受信状態の数値が予め定められた閾値以上の基地局が多くとも１つである場合には、ハンドオーバ制御を終了する旨を、現在通信を行っている各基地局へ通知する（ステップＳ６９）。なお、所定の周期時間（Ｔ２）には、所定の周期時間（Ｔ１）よりも大きな値を設定することが好ましい。
【００６７】
図１３は、ステップＳ６での基地局選択処理で選択された基地局のＩＤを通知する場合の処理動作を説明するためのシーケンスチャートである。ここでは、ハンドオーバ状態にある通信可能な基地局が基地局１及び２であるとする。このうち、無線通信端末は、基地局１のみを選択した場合、すなわち、ＨＨＯの場合には、基地局１のＩＤのみを含む基地局選択結果を通知する情報を基地局１及び基地局２へ送信する（ステップＳ１２１、ステップＳ１２２）。基地局２は、当該通知を受けて、選択された基地局は基地局１のみであることを知り、以後、当該無線通信端末へのデータ送信を停止する（ステップＳ１２３）。この場合、当該無線通信端末との通信に使用していた無線資源を他の無線通信端末への割り当てるようにしてもよい。一方、基地局１は、当該無線通信端末からの上記通知を受けて、当該無線通信端末へのデータ送信を継続する（ステップＳ１２４）。
【００６８】
無線通信端末は、基地局１及び基地局２を選択した場合、すなわち、ＳＨＯの場合には、基地局１及び基地局２のＩＤを含む基地局選択結果を通知する情報を基地局１及び基地局２へ送信する（ステップＳ１３１、ステップＳ１３２）。基地局１及び基地局２は、当該通知を受けて、当該無線通信端末へのデータ送信を継続する（ステップＳ１３３、ステップＳ１３４）。
【００６９】
次に、無線通信端末での（第１の）基地局選択処理動作について、図１４に示すフローチャートを参照して説明する。
【００７０】
ここでは、上り無線チャネルのフォーマットとして、図８に示したフォーマットが用いられる場合について説明する。制御部７は、セル検出回路６１４から取得したハンドオーバ状態にある（通信可能な）複数の基地局の受信タイミング及び受信状態を用いて、ハンドオーバ対象の（通信可能な）複数の基地局の中から、受信状態が最良の基地局を選択して、当該基地局に対応する信号から検出された受信タイミング（ここでは、Ｓｙｍｂｏｌ（シンボル）タイミング）を記憶する（ステップＳ１１）。続いて、ハンドオーバ対象の他の基地局の受信タイミング（ここではシンボルタイミング）と記憶したシンボルタイミングとを比較し（ステップＳ１２）、両者の差（ずれ）が所定の第１の閾値以内であれば（ステップＳ１３）、当該他の基地局をデータの送信を要求する基地局として記憶する（ステップＳ１４）。
【００７１】
ステップＳ１３の比較処理は、ハンドオーバ対象の全ての基地局に対して行う（ステップＳ１５）。また、ステップＳ１３の第１の閾値とは、例えばＧＩ期間Ｔ＿ＧＩに基づき設定される値で、例えば、Ｔ＿ＧＩや、３／４Ｔ＿ＧＩ、２／３Ｔ＿ＧＩなど、所定のオフセット（ＯＦＦＳＥＴ<Ｔ＿ＧＩ）を設けて、Ｔ＿ＧＩ−ＯＦＦＳＥＴとして定義される時間である。
【００７２】
図１４に示すフローチャートでは、ステップＳ１１で選択された受信状態が最良の基地局と、当該基地局からの信号とのシンボルタイミングのずれが、上記第１の閾値以内であるような他の基地局を選択することを目的としている。すなわち、図１４によれば、受信状態が最良の基地局と、当該基地局からの信号とのシンボルタイミングのずれが、少なくとも上記Ｔ＿ＧＩ内の基地局とが選択される。
【００７３】
図１５は、図１１のステップＳ６における他の（第２の）基地局選択処理動作について説明するためのフローチャートである。
【００７４】
制御部７は、セル検出回路６１４から取得したハンドオーバ状態にある（通信可能な）複数の基地局の受信タイミング及び受信状態を用いて、ハンドオーバ対象の（通信可能な）複数の基地局の中から、受信状態が最良の基地局を選択して、当該受信状態と、当該基地局に対応する信号から検出された受信タイミング（ここでは、Ｓｙｍｂｏｌ（シンボル）タイミング）とを記憶する（ステップＳ２１）。続いて、ハンドオーバ対象の他の基地局の受信タイミング（ここではシンボルタイミング）と記憶したシンボルタイミングとを比較し（ステップＳ２２）、両者のずれ（差）が上記第１の閾値以内であれば（ステップＳ２３）、さらに、ステップＳ２４へ進み、当該他の基地局と当該選択された（受信状態が最良の）基地局の受信状態とを比較し、両者の差が所定の第２の閾値以内である場合に（ステップＳ２４）、当該他の基地局を、データの送信を要求する基地局として記憶する（ステップＳ２５）。上述の比較処理は、ハンドオーバ対象の全ての基地局に対して行われる（ステップＳ２６）。なお、受信状態に関する上記第２の閾値とは、３ｄＢから４ｄＢ程度の値である。
【００７５】
図１５に示すフローチャートでは、ステップＳ２１で選択された受信状態が最良の基地局と、当該受信状態が最良の基地局からの信号とのシンボルタイミングのずれが、上記第１の閾値以内であり、かつ、当該受信状態が最良の基地局との受信状態の差が予め定められた第２の閾値以内であるような他の基地局を選択することを目的としている。すなわち、図１５によれば、受信状態が最良の基地局と、当該受信状態が最良の基地局からの信号とのシンボルタイミングのずれが、少なくとも上記Ｔ＿ＧＩ内であり、かつ、当該受信状態が最良の基地局との受信状態の差が予め定められた第２の閾値以内であるような他の基地局とが選択される。
【００７６】
図１６は、図１１のステップＳ６におけるさらに他の（第３の）基地局選択処理動作について説明するためのフローチャートである。
【００７７】
制御部７は、セル検出回路６１４から取得したハンドオーバ状態にある基地局の受信タイミング及び受信状態を用いて、ハンドオーバ対象となる（通信可能な）複数の基地局の中から、受信状態が最良の基地局を選択して当該受信タイミング（フレームタイミング及びシンボルタイミング）を記憶する（ステップＳ３１）。
【００７８】
続いて、まず、他のハンドオーバ対象基地局のフレームタイミングと、記憶した受信状態が最良の基地局のフレームタイミングとを比較し（ステップＳ３２）、両者のずれ（差）が所定の第３の閾値以内である場合には（ステップＳ３３）、さらに、当該基地局のシンボルタイミングと記憶した受信状態が最良の基地局のシンボルタイミングとを比較し（ステップＳ３４）、これが上記第１の閾値以内である場合に（ステップＳ３５）、当該基地局をデータの送信を要求する基地局として記憶する（ステップＳ３６）。上述の比較処理は、ハンドオーバ対象となる全ての基地局に対して行われる（ステップＳ３７）。
【００７９】
なお、フレームタイミングに関する所定の第３の閾値とは、例えば、１シンボル期間（Ｔ＿ＧＩ＋Ｔ＿Ｄａｔａ）の整数倍の時間として定義されるものである。
【００８０】
図１６に示すフローチャートでは、ステップＳ３１で選択された受信状態が最良の基地局と、当該受信状態が最良の基地局からの信号とのフレームタイミングのずれが、上記シンボル期間の整数倍の期間以内（あるいは未満）であるときのシンボルタイミングのずれが、上記第１の閾値以内であるような他の基地局を選択することを目的としている。すなわち、図１５によれば、受信状態が最良の基地局と、当該受信状態が最良の基地局からの信号とのフレームタイミングのずれが上記シンボル期間の整数倍の期間内であるときのシンボルタイミングのずれが、少なくとも上記Ｔ＿ＧＩ内であるような他の基地局とが選択される。
【００８１】
図１７は、図１１のステップＳ６におけるさらに他の（第４の）基地局選択処理動作について説明するためのフローチャートである。
【００８２】
ここでは、上り無線チャネルのフォーマットとして、図９に示したフォーマットが用いられる場合について説明する。制御部７は、セル検出回路６１４から取得したハンドオーバ状態にある基地局の受信タイミング及び受信状態を用いて、ハンドオーバ対象となる複数の基地局の中から、受信状態が最良の基地局を選択して、当該受信タイミング（ここでは、シンボルタイミング）を記憶する（ステップＳ４１）。続いて、ハンドオーバ対象の他の基地局のシンボルタイミングと記憶した受信状態が最良の基地局のシンボルタイミングとを比較し（ステップＳ４２）、両者のずれ（差）が上記第１の閾値以内でなければ（ステップＳ４３）、ステップＳ４７へ進み、受信状態が最良の基地局を対象としたＨＨＯを選択する。すなわち、ハンドオーバ対象となる基地局のなかに、ハンドオーバ対象となる基地局のうち受信状態が最良の基地局とのシンボルタイミングのずれが、上記第１の閾値を超えるものが少なくとも１つ存在するときには、ＨＨＯを選択する。
【００８３】
上述のステップＳ４２、ステップＳ４３の比較処理は、ハンドオーバ対象となる全ての基地局に対して行われ、全ての基地局からの信号のシンボルタイミングと、受信状態が最良の基地局からの信号のシンボルタイミングとのずれが第１の閾値以内であれば（ステップＳ４２〜ステップＳ４５）、全ての基地局を対象としたＳＨＯを選択する（ステップＳ４６）。
【００８４】
図１７に示すフローチャートでは、ハンドオーバ状態にある複数の基地局の全てについて、当該複数の基地局のうちのステップＳ４１で選択された受信状態が最良の基地局とのシンボルタイミングのずれが少なくとも上記Ｔ＿ＧＩ内である場合に、当該全ての基地局を対象としたＳＨＯが選択され、当該複数の基地局のうちの少なくとも１つのシンボルタイミングと受信状態が最良の基地局とのシンボルタイミングのずれが上記Ｔ＿ＧＩを超え得る場合には、受信状態が最良の基地局を対象とするＨＨＯが選択される。
【００８５】
以上説明したように、上記第１の実施形態によれば、通信方式として、符号分割多元接続方式及び直交周波数分割多重方式が用いられる場合に、基地局間を非同期とした場合においても、容易な制御によりハンドオーバを実現することが可能となる。
【００８６】
すなわち、無線通信端末１０２は、複数の基地局から送信された、符号を用いて多重化された送信データを含むＯＦＤＭ信号を受信して、受信した各ＯＦＤＭ信号のシンボルタイミングを検出するとともに、各ＯＦＤＭ信号の受信状態を測定する。そして、複数の基地局の中から、受信状態の最もよい第１の基地局を選択する。さらに、複数の基地局のうちの第１の基地局以外の基地局の中に、当該第１の基地局とのシンボルタイミングのずれが予め定められた第１の閾値以内の第２の基地局があれば、それを（そのような基地局が複数あればその全て）を選択し、第１の基地局及び第２の基地局を複数の基地局へ通知する。複数の基地局のうちの選択された第１及び第２の基地局が、当該無線通信端末に対し、ＯＦＤＭ信号を送信する。
【００８７】
また、上記第２の基地局選択処理動作によれば、無線通信端末は、第１の基地局とのシンボルタイミングのずれが当該第１の閾値以内であり、かつ当該第１の基地局との受信状態の差が予め定められた第２の値以内の第２の基地局を選択する。
【００８８】
また、上記第３の基地局選択処理動作によれば、無線通信端末は、受信された各ＯＦＤＭ信号からさらにフレームタイミングを検出し、第１の基地局とのフレームタイミングのずれが予め定められた第３の閾値以内であり、かつ、第１の基地局とのシンボルタイミングのずれが第１の閾値以内の基地局を選択する。
【００８９】
さらに、上記第４の基地局選択処理動作によれば、無線通信端末は、第１の基地局とのシンボルタイミングのずれが第１の閾値を超える基地局が少なくとも１つ存在するときには、当該第１の第１の基地局以外の基地局を選択せずに、ＨＨＯを選択する。
【００９０】
このように、上記実施形態によれば、無線通信端末において、各基地局からの信号の受信状態、シンボルタイミングのずれから、最適の基地局を選択するという容易な制御によりハンドオーバを実現することが可能となる。
【００９１】
（第２の実施形態）
図１９は、基地局（基地局１０１−１、１０１−２）の要部の他の構成例を示したものである。なお、図１９において、図４と同一部分には同一符号を付し、主に、異なる部分について説明する。すなわち、図１９の構成例では、図４の符号分割多重のためのデータ分配回路４１０、第２の符号乗算回路４０９、第２のデータ多重回路４０７、及び各基地局に割り当てられた符号を乗算するための第１の符号乗算回路４０５が含まれていない。
【００９２】
図１９に示す基地局は、大きく分けて、送信部４、制御部５及び受信部８から構成される。送信部４は、アンテナ４０１、無線処理回路４０２、ＧＩ付加回路４０３、ＩＦＦＴ回路４０４、第１のデータ多重回路４０６、パイロット生成回路４０８、変調回路４１１、誤り訂正符号化回路４１２から構成される。受信部８は、アンテナ８０１、無線処理回路８０２、復調回路８０３、誤り訂正復号回路８０４から構成される。
【００９３】
図１９の基地局の送信部４の各ブロックの動作について説明する。上位Ｉ／Ｆ（上位レイヤ）から渡される送信データや制御部５から入力される制御データは誤り訂正符号化回路４１２へ入力される。誤り訂正符号化回路４１２では、入力された送信データや制御データを所定の符号化方式及び符号化率において誤り訂正符号化を行い、変調回路４１１へ出力する。
【００９４】
変調回路４１１は、入力された送信データや制御データに対して、所定の変調方式により変調を行い、第１のデータ多重回路４０６へ出力する。パイロット生成回路４０８は、所定の信号パターンを有するパイロット信号を生成し、第１のデータ多重回路４０６へ出力する。第１のデータ多重回路４０６は、変調回路４１１から出力された送信データや制御データと、パイロット生成回路４０８から出力されたパイロット信号を多重し、ＩＦＦＴ（Inverse Fast Fourier Transform）回路４０４へ出力する。以後、送信データや制御データ及びパイロット信号をデータと総称する。
【００９５】
ＩＦＦＴ回路４０４は、入力されたデータに対してＩＦＦＴを行い、ＧＩ（Guard Interval）付加回路４０３へ出力する。ＧＩ付加回路４０３は、入力されたデータに対して、その一部を複製してデータの前部に付加し（ガードインターバル（ＧＩ）を付加し）、無線処理回路４０２へ出力する。無線処理回路４０２は、入力されたデータに対して、Ｄ／Ａ変換、直交変調、アップコンバード、帯域制限、電力増幅等の所定の無線処理を行って、無線信号（ＯＦＤＭ信号）を生成し、生成された無線信号はアンテナ４０１より送信される。
【００９６】
制御部５は、送信部４の各ブロックを制御すると共に、受信部８により受信されたデータに含まれる、ハンドオーバ状態にある無線通信端末より通知されたデータ送信要求に従い、当該無線通信端末に送信データを送信するか否かを決定する。また、送信データの宛先（例えば、無線通信端末の識別情報）や当該送信データに適用される符号化方式、符号化率及び変調方式などを示す制御データを、誤り訂正符号化回路４１２に入力する。
【００９７】
なお、第１のデータ多重回路４０６において、変調回路４１１から入力された送信データや制御データと、パイロット生成回路４０８から入力されたパイロット信号の多重方法は任意の方法としてよいが、例えば、図２０に示すような時間を分けることで多重する方法を用いることができる。
【００９８】
受信部８では、アンテナ８０１は受信した無線信号を無線処理回路８０２に入力する。無線処理回路８０２は、入力された無線信号に対して、帯域制限、ダウンコンバート、直交復調、Ａ／Ｄ変換等の所定の無線処理を行い、復調回路８０３へ出力する。復調回路８０３は、入力された信号を復調し、得られた受信データが誤り訂正符号化されていない場合（例えば、後述するように、ハンドオーバ制御の際に、無線通信端末から各基地局へ送信される、無線通信端末で選択された基地局を通知する情報などのデータ）は、制御部７へ出力し、誤り訂正符号化されている場合には、誤り訂正復号回路９１へ出力し、ここで復号した結果を制御部７へ出力する。
【００９９】
図２０は、下り無線チャネルの信号フォーマットを示している。データの送信単位はＳｙｍｂｏｌ（シンボル）と称され、複数の送信データＳｙｍｂｏｌと、当該送信データの宛先を含む制御データＳｙｍｂｏｌ（ＣＯＮＴＲＯＬ）及び複数のパイロットＳｙｍｂｏｌが多重されることによりＦｒａｍｅ（フレーム）が構成される。一般的に、Ｆｒａｍｅに含まれる送信データはパイロットの数よりも多い。また、１つのＳｙｍｂｏｌ期間には、送信データまたはパイロットと、その一部を複製して付加されたＧＩ（ガードインターバル）が含まれる。ＧＩの単位時間をＴ＿ＧＩ、送信データまたはパイロットの単位時間をＴ＿Ｄａｔａとした場合、一般的にＴ＿ＧＩはＴ＿Ｄａｔａの１／４から１／１０程度である。なお、図２０に示したフォーマットでは、１つのＦｒａｍｅの先頭及び終端部にパイロットシンボルが、先頭のパイロットシンボルに続いて制御データシンボルが、その後に送信データシンボルが多重されている。
【０１００】
図２０に示す信号フォーマットの場合、任意の１フレーム中には、１つの無線通信端末宛ての送信データが含まれている。すなわち、１フレーム期間毎に１つの無線通信端末宛ての送信データを送信することにより、基地局１０１は、複数の無線通信端末宛ての複数の送信データを時分割多重して送信する。また、各基地局の区別を容易にするために、例えば、図２４に示すように、各基地局（図２４では、基地局１０１−１及び基地局、１０１−２）のパイロット信号を周波数軸方向に多重して送信してもよい。
【０１０１】
図２１は、第２の実施形態に係る無線通信端末の構成例を示したものである。なお、図２１において、図７と同一部分には同一符号を付し、主に、異なる部分について説明する。すなわち、図２１の構成例では、図７のデータ分配部６０７、第２の符号乗算回路６０９、合成部６１０、データ結合回路６１１、及び第１の符号乗算部６０６が、含まれていない。
【０１０２】
図２１において、無線通信端末は、受信部６、制御部７及び送信部９により構成される。受信部６はアンテナ６０１、無線処理回路６０２、同期回路６０３、ＧＩ除去回路６０４、ＦＦＴ（Fast Fourier Transform）回路６０５、伝送路推定部６０８、復調回路６１２、誤り訂正復号回路６１３、セル検出回路６１４により構成される。
【０１０３】
続いて、図２１の無線通信端末の受信部６の各ブロックの動作について説明する。なお、ここでは図２０に示した無線チャネルの信号フォーマットが用いられているものとする。
【０１０４】
アンテナ６０１は、受信した各基地局からの各無線信号を無線処理回路６０２に入力する。無線処理回路６０２は、入力された各無線信号に対して、帯域制限、ダウンコンバート、直交復調、Ａ／Ｄ変換等の所定の無線処理を行い、同期回路６０３、ＧＩ除去回路６０４及びセル検出回路６１４へ出力する。
【０１０５】
同期回路６０３は、入力された各信号に対して、図２０に示した、Ｓｙｍｂｏｌ（シンボル）及びＦｒａｍｅ（フレーム）のタイミングを検出し、ＧＩ除去回路６０４及びセル検出回路６１４に通知する。ここで、Ｓｙｍｂｏｌ（シンボル）タイミングの検出とは、伝送シンボル境界位置を示す同期タイミングを検出することであり、Ｆｒａｍｅ（フレーム）タイミングの検出とは、複数の伝送シンボルにより構成されるフレームの境界位置を示す同期タイミングを検出することである。Ｓｙｍｂｏｌ（シンボル）タイミングやＦｒａｍｅ（フレーム）タイミングの検出は、適切な位置のＯＦＤＭ信号をＦＦＴ回路に入力しないとマルチキャリア復調が実現できないという理由で行う。
【０１０６】
ＧＩ除去回路６０４は、入力された各信号に対して、同期回路６０３から通知されたタイミングを基に、当該基地局により付加されたＧＩを除去し、ＦＦＴ回路６０５へ出力する。ＦＦＴ回路６０５は、入力された各信号に対してＦＦＴを行い、当該信号が送信データや制御データであれば、復調回路６１２へ出力し、当該信号がパイロットであれば、伝送路推定回路６０８へ出力する。伝送路推定部６０８は、入力されたパイロットを用いて伝送路推定を行い、推定結果を復調回路６１２に通知する。
【０１０７】
復調回路６１２は、入力された送信データや制御データを所定の変調方式に対応する復調方式により復調し、誤り訂正復号回路６１３に出力する。誤り訂正復号回路６１３は、入力された送信データや制御データを所定の符号化方式及び符号化率に基づき復号し、送信データであれば上位Ｉ／Ｆに出力し、制御データであれば制御部７に出力する。
【０１０８】
セル検出回路６１４は、入力された信号を用いて、基地局から送信された各信号を十分な受信性能により受信することが可能となるような受信状態を有し、同期回路６０３で検出されていない他の基地局を検出し、同期回路６０３で検出した基地局も含めて、検出した全ての基地局のＳｙｍｂｏｌ及びＦｒａｍｅのタイミング（以後受信タイミングと称する）及び受信状態を制御部７に通知する。なお、通知する受信状態としては、パイロットの受信電力や受信電力対干渉信号電力比を用いることができる。
【０１０９】
制御部７は、入力された制御データに含まれている当該フレームの宛先が、当該無線端末装置に対応する場合（すなわち、当該フレームに当該無線通信端末に対する送信データが含まれている場合）には、受信部６の各ブロックを制御する。また、制御部７は、セル検出回路６１４から通知された、全ての基地局の受信タイミング及び受信状態を基に、当該無線通信端末がハンドオーバ状態であるか否かを判定して、送信部９から所望の基地局に対して通知する。さらに、制御部７は、ハンドオーバ状態である場合には、ＳＨＯを行うかＨＨＯを行うかを決定し、その旨をデータ送信要求として、送信部９からハンドオーバ状態の対象となる複数の基地局に対して通知する。
【０１１０】
ＳＨＯを行うかＨＨＯを行うかを基地局に対し通知するために、図８、図９に示すようなフォーマットを用いることは、前述の第１の実施形態と同様である。
【０１１１】
さらに、図１０に示した無線通信端末１０２と基地局１０１（ここでは、基地局１０１−１に対応する基地局１、基地局１０１−２に対応する基地局２）との間の通信制御手順、図１１に示した無線通信端末１０２のハンドオーバ制御、図１１のステップＳ６の基地局選択処理で選択された基地局のＩＤを通知する場合の図１２に示したような処理動作、図１３乃至図１７に示した無線端末装置における基地局選択処理等は、前述の第１の実施形態と同様である。
【０１１２】
以上説明したように、上記第２の実施形態によれば、通信方式として、直交周波数分割多重方式が用いられる場合に、基地局間を非同期とした場合においても、容易な制御によりハンドオーバを実現することが可能となる。
【０１１３】
すなわち、無線通信端末１０２は、複数の基地局から送信された、ＯＦＤＭ信号を受信して、受信した各ＯＦＤＭ信号のシンボルタイミングを検出するとともに、各ＯＦＤＭ信号の受信状態を測定する。そして、複数の基地局の中から、受信状態の最もよい第１の基地局を選択する。さらに、複数の基地局のうちの第１の基地局以外の基地局の中に、当該第１の基地局とのシンボルタイミングのずれが予め定められた第１の閾値以内の第２の基地局があれば、それを（そのような基地局が複数あればその全て）を選択し、第１の基地局及び第２の基地局を複数の基地局へ通知する。複数の基地局のうちの選択された第１及び第２の基地局が、当該無線通信端末に対し、ＯＦＤＭ信号を送信する。
【０１１４】
また、上記第２の基地局選択処理動作によれば、無線通信端末は、第１の基地局とのシンボルタイミングのずれが当該第１の閾値以内であり、かつ当該第１の基地局との受信状態の差が予め定められた第２の値以内の第２の基地局を選択する。
【０１１５】
また、上記第３の基地局選択処理動作によれば、無線通信端末は、受信された各ＯＦＤＭ信号からさらにフレームタイミングを検出し、第１の基地局とのフレームタイミングのずれが予め定められた第３の閾値以内であり、かつ、第１の基地局とのシンボルタイミングのずれが第１の閾値以内の基地局を選択する。
【０１１６】
さらに、上記第４の基地局選択処理動作によれば、無線通信端末は、第１の基地局とのシンボルタイミングのずれが第１の閾値を超える基地局が少なくとも１つ存在するときには、当該第１の基地局以外の基地局を選択せずに、ＨＨＯを選択する。
【０１１７】
このように、上記第２の実施形態によれば、無線通信端末において、各基地局からの信号の受信状態、シンボルタイミングのずれから、最適の基地局を選択するという容易な制御によりハンドオーバを実現することが可能となる。
【０１１８】
（第３の実施形態）
図２２は、基地局（基地局１０１−１、１０１−２）の要部のさらに他の構成例を示したものである。なお、図２２において、図４と同一部分には同一符号を付し、主に、異なる部分について説明する。すなわち、図２２の構成例では、図４の符号分割多重のためのデータ分配回路４１０、第２の符号乗算回路４０９、第２のデータ多重回路４０７が含まれていない。なお、図２２の構成例は、図１９に、各基地局に割り当てられた符号を乗算するための第１の符号乗算回路４０５を追加したものである。
【０１１９】
図２２において、基地局は、大きく分けて、送信部４、制御部５及び受信部８から構成される。送信部４は、アンテナ４０１、無線処理回路４０２、ＧＩ付加回路４０３、ＩＦＦＴ回路４０４、第１の符号乗算回路４０５、第１のデータ多重回路４０６、パイロット生成回路４０８、変調回路４１１、誤り訂正符号化回路４１２から構成される。受信部８は、アンテナ８０１、無線処理回路８０２、復調回路８０３、誤り訂正復号回路８０４から構成される。
【０１２０】
図２２の基地局の送信部４の各ブロックの動作について説明する。上位Ｉ／Ｆ（上位レイヤ）から渡される送信データや制御部５から入力される制御データは誤り訂正符号化回路４１２へ入力される。誤り訂正符号化回路４１２では、入力された送信データや制御データを所定の符号化方式及び符号化率において誤り訂正符号化を行い、変調回路４１１へ出力する。
【０１２１】
変調回路４１１は、入力された送信データや制御データに対して、所定の変調方式により変調を行い、第１のデータ多重回路４０６へ出力する。パイロット生成回路４０８は、所定の信号パターンを有するパイロット信号を生成し、第１のデータ多重回路４０６へ出力する。
【０１２２】
第１のデータ多重回路４０６は、変調回路４１１から出力された送信データや制御データと、パイロット生成回路４０８から出力されたパイロット信号を多重し、第１の符号乗算回路４０５へ出力する。以後、送信データ、制御データ及びパイロット信号をデータと総称する。
【０１２３】
第１の符号乗算回路４０５には、当該基地局に対応する符号（擬似ランダム系列に代表されるスクランブル符号）が予め割り当てられ、入力されたデータに対して当該割り当てられたスクランブル符号を乗算し、ＩＦＦＴ（Inverse Fast Fourier Transform）回路４０４へ出力する。なお、スクランブル符号は異なる基地局では異なる符号系列が用いられる。
【０１２４】
ＩＦＦＴ回路４０４は、入力されたデータに対してＩＦＦＴを行い、ＧＩ（Guard Interval）付加回路４０３へ出力する。ＧＩ付加回路４０３は、入力されたデータに対して、その一部を複製してデータの前部に付加し（ガードインターバル（ＧＩ）を付加し）、無線処理回路４０２へ出力する。無線処理回路４０２は、入力されたデータに対して、Ｄ／Ａ変換、直交変調、アップコンバード、帯域制限、電力増幅等の所定の無線処理を行い無線信号（ＯＦＤＭ信号）を生成し、生成された無線信号はアンテナ４０１より送信される。
【０１２５】
制御部５は、送信部４の各ブロックを制御すると共に、受信部８により受信されたデータに含まれる、ハンドオーバ状態にある無線通信端末より通知されたデータ送信要求に従い、当該無線通信端末に送信データを送信するか否かを決定する。また、送信データの宛先（例えば、無線通信端末の識別情報）や当該送信データに適用される符号化方式、符号化率及び変調方式などを示す制御データを符号化回路に入力する。
【０１２６】
なお、第１のデータ多重回路４０６において、変調回路４１１から入力された送信データや制御データと、パイロット生成回路４０８から入力されたパイロット信号の多重方法は任意の方法としてよいが、例えば、図２０に示すような時間を分けることで多重する方法を用いることができる。
【０１２７】
受信部８では、アンテナ８０１は受信した無線信号を無線処理回路８０２に入力する。
【０１２８】
無線処理回路８０２は、入力された無線信号に対して、帯域制限、ダウンコンバート、直交復調、Ａ／Ｄ変換等の所定の無線処理を行い、復調回路８０３へ出力する。復調回路８０３は、入力された信号を復調し、得られた受信データが誤り訂正符号化されていない場合（例えば、前述したように、ハンドオーバ制御の際に、無線通信端末から各基地局へ送信される、無線通信端末で選択された基地局を通知する情報などのデータ）は、制御部７へ出力し、誤り訂正符号化されている場合には、誤り訂正復号回路９１へ出力する。誤り訂正復号回路８０４で復号した結果は、制御部７へ出力される。
【０１２９】
図２３は、第３の実施形態に係る無線通信端末の構成例を示したものである。なお、図２３において、図７と同一部分には同一符号を付し、主に、異なる部分について説明する。すなわち、図２３の構成例では、図７のデータ分配部６０７、第２の符号乗算回路６０９、合成部６１０、及びデータ結合回路６１１が、含まれていない。なお、図２３の構成例は、図２１に、第１の符号乗算部６０６を追加したものである。
【０１３０】
図２３において、無線通信端末は、受信部６、制御部７及び送信部９により構成される。受信部６はアンテナ６０１、無線処理回路６０２、同期回路６０３、ＧＩ除去回路６０４、ＦＦＴ（Fast Fourier Transform）回路６０５、第１の符号乗算部６０６、伝送路推定部６０８、合成部６１０、復調回路６１２、誤り訂正復号回路６１３、セル検出回路６１４により構成される。
【０１３１】
なお、ハンドオーバ状態においてＳＨＯを行うために、第１の符号乗算部６０６、伝送路推定部６０８は、それぞれ、ＳＨＯにおいて同時に受信することができる最大Ｍ個の基地局のそれぞれに対応するＭ個のユニットが設けられている。例えば、第１の符号乗算部６０６の各基地局に対応するＭ個のユニットは、それぞれ１つの第１の符号乗算回路に対応する。
【０１３２】
続いて、図２３の無線通信端末の受信部６の各ブロックの動作について説明する。なお、ここでは図２０に示した無線チャネルの信号フォーマットが用いられているものとする。
【０１３３】
アンテナ６０１は、受信した各基地局からの各無線信号を無線処理回路６０２に入力する。無線処理回路６０２は、入力された各無線信号に対して、帯域制限、ダウンコンバート、直交復調、Ａ／Ｄ変換等の所定の無線処理を行い、同期回路６０３、ＧＩ除去回路６０４及びセル検出回路６１４へ出力する。
【０１３４】
同期回路６０３は、入力された各信号に対して、図２０に示した、Ｓｙｍｂｏｌ（シンボル）及びＦｒａｍｅ（フレーム）のタイミングを検出し、ＧＩ除去回路６０４及びセル検出回路６１４に通知する。ここで、Ｓｙｍｂｏｌ（シンボル）タイミングの検出とは、伝送シンボル境界位置を示す同期タイミングを検出することであり、Ｆｒａｍｅ（フレーム）タイミングの検出とは、複数の伝送シンボルにより構成されるフレームの境界位置を示す同期タイミングを検出することである。Ｓｙｍｂｏｌ（シンボル）タイミングやＦｒａｍｅ（フレーム）タイミングの検出は、適切な位置のＯＦＤＭ信号をＦＦＴ回路に入力しないとマルチキャリア復調が実現できないという理由で行う。
【０１３５】
ＧＩ除去回路６０４は、入力された各信号に対して、同期回路６０３から通知されたタイミングを基に、当該基地局により付加されたＧＩを除去し、ＦＦＴ回路６０５へ出力する。ＦＦＴ回路６０５は、入力された各信号に対してＦＦＴを行い、第１の符号乗算部６０６のＭ個の第１の符号乗算回路へ出力する。
【０１３６】
Ｍ個の第１の符号乗算回路のそれぞれには、当該無線通信端末が受信する複数の（最大Ｍ個）の基地局のそれぞれに対応するスクランブル符号が予め割り当てられている。Ｍ個の第１の符号乗算回路のそれぞれは、入力された信号に対して、対応する基地局が第１の符号乗算回路４０５で乗算したスクランブル符号と同一の符号系列を乗算する。その結果、当該信号が送信データや制御データであれば、合成部６１０へ出力し、当該信号がパイロットであれば、Ｍ個の伝送路推定回路６０８のうちの対応する伝送路推定回路６０８へ出力する。
【０１３７】
伝送路推定部６０８のＭ個の伝送路推定回路のそれぞれは、入力された各基地局からの各パイロットを用いて、各基地局との間の伝送路推定を行い、推定結果を合成部６１０に通知する。
【０１３８】
合成部６１０は、入力された複数の送信データや制御データ、すなわち複数（最大Ｍ個）の基地局から送信された、当該合成回路に割り当てられた符号に対応するＭ系列の送信データや制御データを合成し、復調回路６１２に出力する。なお、当該無線通信端末がハンドオーバ状態にない場合、またはハンドオーバ状態でＨＨＯを行っている場合は、上記合成は行われない。
【０１３９】
復調回路６１２は、入力された送信データや制御データを所定の変調方式に対応する復調方式により復調し、誤り訂正復号回路６１３に出力する。誤り訂正復号回路６１３は、入力された送信データや制御データを所定の符号化方式及び符号化率に基づき復号し、送信データであれば上位Ｉ／Ｆに出力し、制御データであれば制御部７に出力する。
【０１４０】
セル検出回路６１４は、入力された信号を用いて、基地局から送信された各信号を十分な受信性能により受信することが可能となるような受信状態を有し、同期回路６０３で検出されていない他の基地局を検出し、同期回路６０３で検出した基地局も含めて、検出した全ての基地局のＳｙｍｂｏｌ及びＦｒａｍｅのタイミング（以後受信タイミングと称する）及び受信状態を制御部７に通知する。なお、通知する受信状態としては、パイロットの受信電力や受信電力対干渉信号電力比を用いることができる。
【０１４１】
制御部７は、入力された制御データに含まれている当該フレームの宛先が、当該無線端末装置に対応する場合（すなわち、当該フレームに当該無線通信端末に対する送信データが含まれている場合）には、受信部６の各ブロックを制御する。また、制御部７は、セル検出回路６１４から通知された、全ての基地局の受信タイミング及び受信状態を基に、当該無線通信端末がハンドオーバ状態であるか否かを判定して、送信部９から所望の基地局に対して通知する。さらに、制御部７は、ハンドオーバ状態である場合には、ＳＨＯを行うかＨＨＯを行うかを決定し、その旨をデータ送信要求として、送信部９からハンドオーバ状態の対象となる複数の基地局に対して通知する。
【０１４２】
ＳＨＯを行うかＨＨＯを行うかを基地局に対し通知するために、図８、図９に示すようなフォーマットを用いることは、前述の第１の実施形態と同様である。
【０１４３】
さらに、図１０に示した無線通信端末１０２と基地局１０１（ここでは、基地局１０１−１に対応する基地局１、基地局１０１−２に対応する基地局２）との間の通信制御手順、図１１に示した無線通信端末１０２のハンドオーバ制御、図１１のステップＳ６の基地局選択処理で選択された基地局のＩＤを通知する場合の図１２に示したような処理動作、図１３乃至図１７に示した無線端末装置における基地局選択処理等は、前述の第１の実施形態と同様である。
【０１４４】
以上説明したように、上記第３の実施形態によれば、通信方式として、直交周波数分割多重方式が用いられる場合に、基地局間を非同期とした場合においても、容易な制御によりハンドオーバを実現することが可能となる。
【０１４５】
すなわち、無線通信端末１０２は、複数の基地局から送信された、ＯＦＤＭ信号を受信して、受信した各ＯＦＤＭ信号のシンボルタイミングを検出するとともに、各ＯＦＤＭ信号の受信状態を測定する。そして、複数の基地局の中から、受信状態の最もよい第１の基地局を選択する。さらに、複数の基地局のうちの第１の基地局以外の基地局の中に、当該第１の基地局とのシンボルタイミングのずれが予め定められた第１の閾値以内の第２の基地局があれば、それを（そのような基地局が複数あればその全て）を選択し、第１の基地局及び第２の基地局を複数の基地局へ通知する。複数の基地局のうちの選択された第１及び第２の基地局が、当該無線通信端末に対し、ＯＦＤＭ信号を送信する。
【０１４６】
また、上記第２の基地局選択処理動作によれば、無線通信端末は、第１の基地局とのシンボルタイミングのずれが当該第１の閾値以内であり、かつ当該第１の基地局との受信状態の差が予め定められた第２の値以内の第２の基地局を選択する。
【０１４７】
また、上記第３の基地局選択処理動作によれば、無線通信端末は、受信された各ＯＦＤＭ信号からさらにフレームタイミングを検出し、第１の基地局とのフレームタイミングのずれが予め定められた第３の閾値以内であり、かつ、第１の基地局とのシンボルタイミングのずれが第１の閾値以内の基地局を選択する。
【０１４８】
さらに、上記第４の基地局選択処理動作によれば、無線通信端末は、第１の基地局とのシンボルタイミングのずれが第１の閾値を超える基地局が少なくとも１つ存在するときには、当該第１の第１の基地局以外の基地局を選択せずに、ＨＨＯを選択する。
【０１４９】
このように、上記第３の実施形態によれば、無線通信端末において、各基地局からの信号の受信状態、シンボルタイミングのずれから、最適の基地局を選択するという容易な制御によりハンドオーバを実現することが可能となる。
【０１５０】
なお、本発明の実施の形態に記載した本発明の手法（特に、図１１，図１２、図１４〜図１７に示したような無線通信端末の処理動作）は、コンピュータに実行させることのできるプログラムとして、磁気ディスク（フレキシブルディスク、ハードディスクなど）、光ディスク（ＣＤ−ＲＯＭ、ＤＶＤなど）、半導体メモリなどの記録媒体に格納して頒布することもできる。
【０１５１】
また、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【図面の簡単な説明】
【０１５２】
【図１】本発明の実施形態に係るハンドオーバ状態を説明するための図。
【図２】ソフトハンドオーバを説明するための図。
【図３】ハードハンドオーバを説明するための図。
【図４】第１の実施形態に係る基地局の構成例を示した図。
【図５】下り無線チャネルのフォーマットの一例を示した図。
【図６】下り無線チャネルのフォーマットの他の例を示した図。
【図７】第１の実施形態に係る無線通信装置の構成例を示した図。
【図８】上り無線チャネルのフォーマットの一例を示した図。
【図９】上り無線チャネルのフォーマットの他の例を示した図。
【図１０】無線通信端末と基地局との間の通信制御の概略を説明するためのフローチャート。
【図１１】ハンドオーバ状態となった無線通信端末のハンドオーバ制御について説明するためのフローチャート。
【図１２】ハンドオーバ状態となった無線通信端末の他のハンドオーバ制御について説明するためのフローチャート。
【図１３】無線通信端末と基地局との間の通信制御の概略を説明するためのシーケンスチャート。
【図１４】無線通信端末での第１の基地局選択処理動作について説明するためのフローチャート。
【図１５】無線通信端末での第２の基地局選択処理動作について説明するためのフローチャート。
【図１６】無線通信端末での第３の基地局選択処理動作について説明するためのフローチャート。
【図１７】無線通信端末での第４の基地局選択処理動作について説明するためのフローチャート。
【図１８】１つの基地局が複数の通信エリアを有する場合のハンドオーバ状態を説明するための図。
【図１９】第２の実施形態に係る基地局の構成例を示した図。
【図２０】第２及び第３の実施形態に係る下り無線チャネルの信号フォーマットの一例を示した図。
【図２１】第２の実施形態に係る無線通信装置の構成例を示した図。
【図２２】第３の実施形態に係る基地局の構成例を示した図。
【図２３】第３の実施形態に係る無線通信装置の構成例を示した図。
【図２４】下り無線チャネルの信号フォーマットのさらに他の例を示した図。
【符号の説明】
【０１５３】
１０１−１、１０１−２…基地局、１０２…無線通信端末、１０３…制御局、４、６…送信部、５、７…制御部、６，８…受信部、４０２…無線処理回路、４０３…ＧＩ付加回路、４０４…ＩＦＦＴ回路、４０５…第１の符号乗算回路、４０６…第１のデータ多重回路、４０７…第２のデータ多重回路、４０８…パイロット生成回路、４０９…第２の符号乗算回路、４１０…データ分配回路、４１１…変調回路、４１２…誤り訂正符号化回路、６０２…無線処理回路、６０３…同期回路、６０４…ＧＩ除去回路、６０５…ＦＦＴ回路、６０６…第１の符号乗算部、６０７…データ分配部、６０８…伝送路推定部、６０９…第２の符号乗算部、６１０…合成部、６１１…データ結合回路、６１２…復調回路、６１３…誤り訂正復号回路、６１４…セル検出回路。
【図１】
2006246440.tif 000003
【図２】
2006246440.tif 000004
【図３】
2006246440.tif 000005
【図４】
2006246440.tif 000006
【図５】
2006246440.tif 000007
【図６】
2006246440.tif 000008
【図７】
2006246440.tif 000009
【図８】
2006246440.tif 000010
【図９】
2006246440.tif 000011
【図１０】
2006246440.tif 000012
【図１１】
2006246440.tif 000013
【図１２】
2006246440.tif 000014
【図１３】
2006246440.tif 000015
【図１４】
2006246440.tif 000016
【図１５】
2006246440.tif 000017
【図１６】
2006246440.tif 000018
【図１７】
2006246440.tif 000019
【図１８】
2006246440.tif 000020
【図１９】
2006246440.tif 000021
【図２０】
2006246440.tif 000022
【図２１】
2006246440.tif 000023
【図２２】
2006246440.tif 000024
【図２３】
2006246440.tif 000025
【図２４】
2006246440.tif 000026